(57)【要約】      （修正有）【課題】操作を簡易なものとして高齢者等にも使いやすく、かつ、服薬し忘れと服薬の重複の両方を防止することができる服薬支援時計を提供する。【解決手段】所望の服薬時刻を１日のうち複数回設定可能な設定部と、前記服薬時刻となったときに服薬時刻を知らせる第１アラームを発報する第１発報部と、第１アラームの発報を停止させる解除スイッチ３１と、解除スイッチ３１の操作後に動作する服薬未完了表示部３２と、服薬未完了表示部３２の動作を停止させる服薬完了スイッチ３４と、を備える。【選択図】図１
0003210862.tif 000002
【実用新案登録請求の範囲】
【請求項１】
所望の服薬時刻を１日のうち複数回設定可能な設定部と、
前記服薬時刻となったときに前記服薬時刻を知らせる第１アラームを発報する第１発報部と、
前記第１アラームの発報を停止させる解除スイッチと、
前記解除スイッチの操作後に動作する服薬未完了表示部と、
前記服薬未完了表示部の動作を停止させる服薬完了スイッチと、
を備えることを特徴とする服薬支援時計。
【請求項２】
前記解除スイッチの操作後、所定時間経過後に服薬を促す第２アラームを発報する第２発報部を備え、
前記服薬完了スイッチによって前記第２アラームの発報も停止されることを特徴とする請求項１に記載の服薬支援時計。
【考案の詳細な説明】
【技術分野】
【０００１】
本考案は、服用者が服薬を忘れないようにするために、服薬時刻となったことを知らせる服薬支援時計に関する。
【背景技術】
【０００２】
従来、医薬情報を適確に提供することにより、決められた時刻に、決められた量のクスリを服用することを目的として、特開平５−１８４６４６号公報に、時計の標示板に服用薬の内容、服用時刻、服用錠数、服用確認欄を表示し、服用時刻になるとアラームが作動することを特徴としたクスリ服用時計を使用しクスリ服用の有無を確認するとともに、服用薬の内容、服用時刻、服用錠数、服用の確認を印す欄、備考欄を紙などに記載し、クスリ服用の有無を確認する方法が開示されている。
【先行技術文献】
【特許文献】
【０００３】
【特許文献１】特開平５−１８４６４６号公報
【考案の概要】
【考案が解決しようとする課題】
【０００４】
上記の特許文献１に記載されている技術では、薬の飲み忘れのみならず、重複した服薬も防止できるという利点がある。しかし、服薬のし忘れを自動的に通知する機能はなく、服用者が紙面に記録する等の作業が必要となることで面倒となり、手間がかかることから却って実施されなくなるというおそれがあった。本考案は上記の点に鑑みなされたもので、操作を簡易なものとして高齢者等にも使いやすく、かつ、服薬し忘れと服薬の重複の両方を防止することができる服薬支援時計を提供することを目的とする。
【課題を解決するための手段】
【０００５】
（１）本考案の服薬支援時計は、
所望の服薬時刻を１日のうち複数回設定可能な設定部と、
前記服薬時刻となったときに前記服薬時刻を知らせる第１アラームを発報する第１発報部と、
前記第１アラームの発報を停止させる解除スイッチと、
前記解除スイッチの操作後に動作する服薬未完了表示部と、
前記服薬未完了表示部の動作を停止させる服薬完了スイッチと、
を備えることを特徴とする。
【０００６】
本考案の服薬支援時計によれば、設定部によって所望の服薬時刻を１日のうち複数回設定可能なため、一般に用いられる薬の服薬方法の略全てに対応させることができる。また、第１発報部によって服薬時刻となったときに第１アラームを発報するため、服薬時刻となったことを服用者が知ることができる。また、第１アラームの発報を停止させる解除スイッチとは別に、服薬が完了していないことを知らせる服薬未完了表示部を備えることで、第１アラームを解除したあとも服用者に服薬が完了していないことを知らせ続けることができる。さらに、服用者が服薬後に服薬完了スイッチを操作して、服薬未完了表示部の動作を停止させることで、服薬が完了していることを知らせることができ、重複した服薬を防止することができる。
【０００７】
（２）本考案の服薬支援時計の好ましい例は、
前記解除スイッチの操作後、所定時間経過後に服薬を促す第２アラームを発報する第２発報部をさらに備え、
前記服薬完了スイッチによって前記第２アラームの発報も停止されることを特徴とする。
【０００８】
本考案の服薬支援時計の好ましい例によれば、第２発報部によって第１アラームの発報を停止させた後、さらに所定時間が経過した後に第２アラームの発報がなされるため、服薬のし忘れをより防止することができる。また、音による警報を出すことで、服薬支援時計から離れていても薬の飲み忘れに気付くことができる。
【考案の効果】
【０００９】
以上、説明したように、本考案の服薬支援時計によれば、操作を簡易なものとして高齢者等にも使いやすく、かつ、服薬し忘れと服薬の重複の両方を防止することができる。
【図面の簡単な説明】
【００１０】
【図１】本考案の一実施形態に係る服薬支援時計を説明する図である。
【図２】服薬支援時計の内部構成を説明するブロック図である。
【図３】服薬支援時計の動作を説明するフロー図である。
【考案を実施するための形態】
【００１１】
以下、本考案の服薬支援時計１の実施の形態について、添付図面を参照して詳細に説明する。
【００１２】
先ずは、本実施形態の服薬支援時計１の構成を説明する。図１及び図２に示すように、本実施形態の服薬支援時計１は、電源部１０と、制御部１１と、服薬時刻設定スイッチ２０と、時刻変更スイッチ２１と、服薬時刻表示部２２と、現在時刻表示部２３と、第１発報部３０と、解除スイッチ３１と、服薬未完了表示部３２と、第２発報部３３と、服薬完了スイッチ３４とを備える。
【００１３】
電源部１０は、商用電源又は公知の電池等から、本実施形態の服薬支援時計１の各構成要素が動作するための電力を作り、供給するものである。図２においては、電源部１０から制御部１１に電力が供給され、他の構成要素には制御部１１を介して電力を供給している。もっとも、これに限られず、第１発報部３０、第２発報部３３、現在時刻表示部２３、及び服薬時刻表示部２２等の比較的多くの電力を消費する箇所に、電源部１０から動作用の電力を直接供給させることもできる。
【００１４】
制御部１１は、本実施形態の服薬支援時計１の動作を司る部分で、服薬支援時計１の動作に必要な制御を他の構成要素と協動して行なう。この制御部１１は、公知のマイクロプロセッサ、メモリ等で構成され、設定部１２と、記憶部１３と、タイマー部１４とを備える。
【００１５】
設定部１２は、服薬時刻設定スイッチ２０、時刻変更スイッチ２１及び記憶部１３と協動して、所望の服薬時刻を設定するものである。本実施形態の服薬支援時計１では、１日のうち複数回の服薬時刻を設定でき、４回までの服薬時刻を設定することができる。なお、ここで設定された服薬時刻は、服薬時刻表示部２２に表示される。
【００１６】
記憶部１３は、本実施形態の服薬支援時計１を動作させるためのプログラム、及び上記の設定した服薬時刻等を記憶するものである。また、ここでは説明しないが基本的な時計として備える、目覚まし用のアラーム設定時刻等も記憶される。
【００１７】
タイマー部１４は、所定の時間が経過すると所定の信号を出力するもので、時計としての基本機能である現在時刻の算出、後述する第１アラーム又は第２アラームの発報の停止までの時間の算出等に用いられる。なお、現在時刻は、現在時刻表示部２３に表示される。
【００１８】
第１発報部３０は、現在時刻が上記設定部１２で設定した服薬時刻になると、服用者に服薬時刻を知らせる第１アラームを発報するものである。また、解除スイッチ３１は、「アラーム停止」と記載されたボタンスイッチで、服用者が操作することにより、第１発報部３０の動作を停止させ、第１アラームの発報を停止させるものである。なお、第１アラームが発報されると、タイマー部１４で発報経過時間の算出が行なわれ、所定時間が経過すると第１アラームは停止される。この第１アラームとしては、一般的なアラーム音に加え、例えば「お薬の時間ですよ」という音声案内も採用することができる。また、第１アラームは連続して繰り返してもよいし、所定の時間を空けて間欠的に繰り返してもよい。
【００１９】
服薬未完了表示部３２は、「服薬完了」と記載されたボタンスイッチの内部に発光体が設けられたものである。この服薬未完了表示部３２は、解除スイッチ３１が操作されると動作を開始して、服用者に未だ服薬していないことを知らせる。本実施形態の服薬支援時計１では、服薬完了スイッチ３４の内部に設けられた発光体を点灯又は点滅させることで服用者に未だ服薬していないことを知らせる。なお、服薬未完了表示部３２は、上記の態様に限られず、例えば、現在時刻表示部２３内に文字で表示する、又は服薬時刻表示部２２内の該当する服薬時刻の表示を点滅させる等して変化させてもよい。
【００２０】
第２発報部３３は、解除スイッチ３１が操作された後、タイマー部１４で経過時間の算出が行なわれ、所定時間が経過すると第２アラームを発報するものである。また、第２アラームが発報されると、タイマー部１４で発報経過時間の算出が行なわれ、所定時間が経過すると第２アラームは停止される。この第２アラームとしては、一般的なアラーム音に加え、例えば「まだ飲んでいませんよ」という音声案内も採用することができる。また、第２アラームは連続して繰り返してもよいし、所定の時間を空けて間欠的に繰り返してもよい。
【００２１】
服薬完了スイッチ３４は、「服薬完了」と記載されたボタンスイッチで、服用者が服薬した後に操作することで、服薬未完了表示部３２の動作を停止させるとともに、第２発報部３３が第２アラームを発報しているときは第２発報部３３の動作も停止させるものである。
【００２２】
次に、上述した本実施形態の服薬支援時計１の各構成及びそれらの機能を踏まえ、服薬支援時計１の動作を説明する。
【００２３】
前提として、服薬支援時計１には現在時刻が設定されており、現在時刻表示部２３に表示される。また、服薬時刻も、例えば服薬時刻設定スイッチ２０を押して、４つある服薬時刻の中から設定する服薬時刻を選択し、次に時刻変更スイッチ２１で所望の服薬時刻とし、再度服薬時刻設定スイッチ２０を押して記憶部１３に服薬時刻を記憶させるという操作をすることによって予め設定されている。
【００２４】
次に、図３を参照しながら、服薬時刻となったときの本実施形態の服薬支援時計１の動作を説明する。なお、これらの動作は、記憶部１３に記憶されたプログラムが実行されて実現される。最初に、ステップＳ１０００でプログラムが開始される。次に、ステップＳ１０１０で、現在時刻が服薬時刻になったか否かが判断される。服薬時刻になっていない場合は、ステップＳ１０１０を繰り返す。一方、現在時刻が服薬時刻となった場合、ステップＳ１０２０で、第１アラームが発報される。この第１アラームで、服用者に服薬時刻となったことを知らせる。
【００２５】
次に、ステップＳ１０３０で、解除スイッチ３１の操作がなされたか否かが判断される。解除スイッチ３１の操作がなされていない場合、ステップＳ１０４０で例えば５分間等の所定時間が経過したか否かが判断される。所定時間が経過していない場合はステップＳ１０３０に戻り、ステップＳ１０３０とステップＳ１０４０を繰り返す。ここで、解除スイッチ３１の操作がなされる又は所定時間が経過すると、ステップＳ１０５０に進み、第１アラームが停止されるとともに服薬未完了表示部３２の動作が開始される。この服薬未完了表示部３２の動作によって、服用者に未だ薬を飲んでいないことを知らせる。
【００２６】
次に、ステップＳ１０６０で、服薬完了スイッチ３４の操作がなされたか否かが判断される。服薬完了スイッチ３４の操作がなされていない場合、ステップＳ１０７０で例えば５分間等の所定時間が経過したか否かが判断される。所定時間が経過していない場合はステップＳ１０６０に戻り、ステップＳ１０６０とステップＳ１０７０を繰り返す。ここで、服薬完了スイッチ３４の操作がなされと、ステップＳ１０８０に進み、服薬未完了表示部３２の動作が停止され、ステップＳ１１４０でプログラムは終了する。一方、服薬完了スイッチ３４の操作がされずに所定時間が経過した場合、ステップＳ１０９０に進み第２アラームが発報される。この第２アラームの動作によって、所定時間が経過しても服用者が未だ薬を飲んでいないことを知らせる。
【００２７】
次に、ステップＳ１１００で、服薬完了スイッチ３４の操作がなされたか否かが判断される。服薬完了スイッチ３４の操作がなされていない場合、ステップＳ１１１０で例えば５分間等の所定時間が経過したか否かが判断される。所定時間が経過していない場合はステップＳ１１００に戻り、ステップＳ１１００とステップＳ１１１０を繰り返す。ここで、服薬完了スイッチ３４の操作がなされる又は所定時間が経過すると、ステップＳ１１２０に進み、第２アラームが停止される。
【００２８】
次に、ステップＳ１１３０で、服薬完了スイッチ３４の操作がなされたか否かが判断される。服薬完了スイッチ３４の操作がなされない場合、ステップＳ１１３０を繰り返す。このとき、第２アラームは停止しているが、服薬未完了表示部３２は動作を続けており、服薬完了スイッチ３４を点灯又は点滅させることで、薬を飲んでいないことを服用者に知らせ続ける。一方、上記のステップＳ１１００で既に服薬完了スイッチ３４の操作がなされている、又はステップＳ１１３０で服薬完了スイッチ３４の操作がなされると、ステップＳ１０８０に進み、服薬未完了表示部３２の動作が停止され、ステップＳ１１４０でプログラムは終了する。この服薬未完了表示部３２の動作の停止によって、服用者が薬を既に飲んでいることが分かり、重複した服用を防止することができる。そして、プログラムはステップＳ１０００から繰り返し実行される。
【００２９】
以上、説明したように、本実施形態の服薬支援時計によれば、１日４回までの服薬時刻を設定できるため、殆どの薬に対応することができる。また、第１アラームによって服薬時刻を知らせることができるとともに、解除スイッチを操作して第１アラームを停止させると、服薬未完了表示部が動作を開始して、服用者に薬を未だ飲んでいないことを知らせる。また、第２アラームによって、服用者がその後に薬を飲み忘れていても気付くことができる。また、所定の時間が経過して第２アラームの発報が停止した後も、服薬完了スイッチの操作がなされるまで服薬未完了表示部が動作を続けるため、その後も薬を飲んでいないことを知らせ続けることができ、より効果的に薬の飲み忘れを防止することができる。さらに、服薬完了スイッチの操作後は、服薬未完了表示部の動作が停止されるので、薬を既に飲んでいることが分かり、重複した服用を防止することができる。
【００３０】
なお、上述の服薬支援時計の実施形態は、本考案の例示であり、考案の趣旨を逸脱しない範囲においてその構成を適宜変更することができる。例えば、薬以外にもサプリメントの摂取、高齢者等の食事や水分補給にも対応させることができる。
【符号の説明】
【００３１】
１・・服薬支援時計、
１０・・電源部、１１・・制御部、１２・・設定部、１３・・記憶部、１４・・タイマー部、
２０・・服薬時刻設定スイッチ、２１・・時刻変更スイッチ、２２・・服薬時刻表示部、２３・・現在時刻表示部、
３０・・第１発報部、３１・・解除スイッチ、３２・・服薬未完了表示部、３３・・第２発報部、３４・・服薬完了スイッチ、
【図１】
0003210862.tif 000003
【図２】
0003210862.tif 000004
【図３】
0003210862.tif 000005